(57)【要約】【課題】遊技球がガイドレールに衝接した直後に遊技球の飛翔方向を安定状態に調整することができ、遊技球のムラ飛びを十分に抑えることができる遊技機を提供する。【解決手段】遊技球を遊技領域７へ案内する円弧状の発射球案内流路８と、該発射球案内流路８の外周側縁部に設けられ、遊技球が接触可能なガイドレール５９とを備えたパチンコ遊技機において、ガイドレール５９のうち発射球案内流路８へ進入してきた遊技球が衝接し得る始端寄りの箇所を球衝接部８０とし、該球衝接部８０には、遊技球よりも幅狭な球位置調整開口溝８３を開口中心軸Ｃがガイドレール５９の延設方向に沿って延在する状態で設け、球位置調整開口溝８３の開口幅をガイドレール５９の終端側へ向かうにつれて次第に狭くなる状態に設定した。【選択図】図６
2008167832.tif 000002
【特許請求の範囲】
【請求項１】
遊技球を遊技領域へ案内する円弧状の発射球案内流路と、該発射球案内流路の外周側縁部に設けられ、遊技球が接触可能なガイドレールと、を備えた遊技機において、
前記ガイドレールのうち発射球案内流路へ進入してきた遊技球が衝接し得る始端寄りの箇所を球衝接部とし、
該球衝接部には、遊技球よりも幅狭な球位置調整開口溝を開口中心軸がガイドレールの延設方向に沿って延在する状態で設け、球位置調整開口溝の開口幅をガイドレールの終端側へ向かうにつれて次第に狭くなる状態に設定したことを特徴とする遊技機。
【請求項２】
前記発射球案内流路の外周側に円弧状の発射球案内壁部を備え、該発射球案内壁部の円弧内壁面に前記ガイドレールを添設し、
該ガイドレールは、当該ガイドレールの弾力を設定する弾力設定部材を備え、発射球案内壁部に添設された状態で当該ガイドレールの始端を弾力設定部材により終端側へ押し込み、この押し込み具合により当該ガイドレールの弾力を設定可能とし、
前記ガイドレールのうち弾力設定部材と球位置調整開口溝との間には、ガイドレールの延設方向に沿って伸縮可能なレール伸縮ばね部をガイドレールのレール幅に亘って形成し、レール伸縮ばね部により弾力設定部材の押し込み力をガイドレールのレール幅に亘って分散するように構成されたことを特徴とする請求項１に記載の遊技機。
【請求項３】
前記レール伸縮ばね部は、ガイドレールのうち弾力設定部材と球位置調整開口溝との間に位置する部分をレール幅の方向に沿って溝状に凹ませて形成されたことを特徴とする請求項２に記載の遊技機。
【発明の詳細な説明】
【技術分野】
【０００１】
本発明は、遊技球を遊技領域へ案内する円弧状の発射球案内流路と、該発射球案内流路の外周側縁部に設けられ、遊技球が接触可能なガイドレールとを備えたパチンコ遊技機等の遊技機に関する。
【背景技術】
【０００２】
従来の遊技機、例えば、パチンコ遊技機においては、発射球（発射装置から発射された遊技球）が飛翔可能な発射球案内流路を円弧状に形成し、該発射球案内流路の外周側縁部には金属製のガイドレールを備え、該ガイドレールに接触させながら遊技球を遊技領域へ案内するように構成されている。そして、発射球案内流路内で遊技球の飛翔方向が不安定になって所謂ムラ飛びが生じる不具合を防ぐために、ガイドレール（具体的には、ガイドレールのうち遊技球が接触可能な面）に誘導溝を遊技球の飛翔方向へ沿って形成したものが提案されている（例えば、特許文献１参照）。
【特許文献１】実開平４−９５０８２号公報
【発明の開示】
【発明が解決しようとする課題】
【０００３】
ところが、上記特許文献に記載のパチンコ遊技機では、誘導溝を遊技球の衝接位置（着弾点）よりも飛翔方向へ離れた位置に形成している。したがって、遊技球がガイドレールに衝接してから誘導溝へ到達するまでの間に、遊技球の飛翔方向が不安定になる可能性があり、遊技球のムラ飛びを十分に抑えることができない虞がある。
【０００４】
そこで、本発明は、上記の事情に鑑みてなされたものであり、その目的は、遊技球がガイドレールに衝接した直後に遊技球の飛翔方向を安定状態に調整することができ、遊技球のムラ飛びを十分に抑えることができる遊技機を提供しようとするものである。
【課題を解決するための手段】
【０００５】
本発明は、上記目的を達成するために提案されたものであり、請求項１に記載のものは、遊技球を遊技領域へ案内する円弧状の発射球案内流路と、該発射球案内流路の外周側縁部に設けられ、遊技球が接触可能なガイドレールと、を備えた遊技機において、
前記ガイドレールのうち発射球案内流路へ進入してきた遊技球が衝接し得る始端寄りの箇所を球衝接部とし、
該球衝接部には、遊技球よりも幅狭な球位置調整開口溝を開口中心軸がガイドレールの延設方向に沿って延在する状態で設け、球位置調整開口溝の開口幅をガイドレールの終端側へ向かうにつれて次第に狭くなる状態に設定したことを特徴とする遊技機である。
【０００６】
請求項２に記載のものは、前記発射球案内流路の外周側に円弧状の発射球案内壁部を備え、該発射球案内壁部の円弧内壁面に前記ガイドレールを添設し、
該ガイドレールは、当該ガイドレールの弾力を設定する弾力設定部材を備え、発射球案内壁部に添設された状態で当該ガイドレールの始端を弾力設定部材により終端側へ押し込み、この押し込み具合により当該ガイドレールの弾力を設定可能とし、
前記ガイドレールのうち弾力設定部材と球位置調整開口溝との間には、ガイドレールの延設方向に沿って伸縮可能なレール伸縮ばね部をガイドレールのレール幅に亘って形成し、レール伸縮ばね部により弾力設定部材の押し込み力をガイドレールのレール幅に亘って分散するように構成されたことを特徴とする請求項１に記載の遊技機である。
【０００７】
請求項３に記載のものは、前記レール伸縮ばね部は、ガイドレールのうち弾力設定部材と球位置調整開口溝との間に位置する部分をレール幅の方向に沿って溝状に凹ませて形成されたことを特徴とする請求項２に記載の遊技機である。
【発明の効果】
【０００８】
本発明によれば、以下のような優れた効果を奏する。
請求項１に記載の発明によれば、遊技球を遊技領域へ案内する円弧状の発射球案内流路と、該発射球案内流路の外周側縁部に設けられ、遊技球が接触可能なガイドレールとを備えた遊技機において、ガイドレールのうち発射球案内流路へ進入してきた遊技球が衝接し得る始端寄りの箇所を球衝接部とし、該球衝接部には、遊技球よりも幅狭な球位置調整開口溝を開口中心軸がガイドレールの延設方向に沿って延在する状態で設け、球位置調整開口溝の開口幅をガイドレールの終端側へ向かうにつれて次第に狭くなる状態に設定したので、遊技球がガイドレールに衝接した直後に、衝接した勢いを利用して遊技球の飛翔方向が安定するように調整することができる。したがって、ガイドレールへの衝接により遊技球の飛翔方向が乱れる不具合、ひいては、飛翔方向が乱れた状態で遊技領域へ飛入してしまうムラ飛びを十分に抑えることができる。
【０００９】
請求項２に記載の発明によれば、発射球案内流路の外周側に円弧状の発射球案内壁部を備え、該発射球案内壁部の円弧内壁面に前記ガイドレールを添設し、該ガイドレールは、当該ガイドレールの弾力を設定する弾力設定部材を備え、発射球案内壁部に添設された状態で当該ガイドレールの始端を弾力設定部材により終端側へ押し込み、この押し込み具合により当該ガイドレールの弾力を設定可能とし、ガイドレールのうち弾力設定部材と球位置調整開口溝との間には、ガイドレールの延設方向に沿って伸縮可能なレール伸縮ばね部をガイドレールのレール幅に亘って形成し、レール伸縮ばね部により弾力設定部材の押し込み力をガイドレールのレール幅に亘って分散するように構成したので、弾力設定部材の押し込み力がガイドレールの側部に偏って発生したとしても、この押し込み力の偏りを解消し、さらには球位置調整開口溝の両側方に押し込み力をガイドレールのレール幅方向に沿って均等に加えようとすることができる。したがって、球位置調整開口溝の両側縁部の撓み具合を揃え易くなり、球位置調整開口溝の側縁部に接触して遊技球の飛翔方向がガイドレールの延設方向から外れてしまう不都合を抑えることができる。
【００１０】
請求項３に記載の発明によれば、レール伸縮ばね部は、ガイドレールのうち弾力設定部材と球位置調整開口溝との間に位置する部分をレール幅の方向に沿って溝状に凹ませて形成されたので、球位置調整開口溝の両側縁部の撓み具合を揃え易いガイドレールを簡単な構成で実現することができる。
【発明を実施するための最良の形態】
【００１１】
以下、代表的な遊技機であるパチンコ遊技機を例に挙げて本発明の実施の最良の形態を図面に基づき説明する。図１は前面側を開放したパチンコ遊技機の斜視図、図２は前面側を開放したパチンコ遊技機の正面図である。
パチンコ遊技機１は、外枠（機枠あるいは本体枠）２に前面枠（内枠）３を開閉可能に軸着し、この前面枠３のベースとなる前面枠本体４に遊技盤５を収納可能とし、該遊技盤５の表面には、略円形状の遊技領域７と、該遊技領域７へ遊技球を案内する円弧状の発射球案内流路８とを区画形成している。また、前面枠３の前面側には、一側（図１中、左側）が軸着された透明部材保持枠９を開閉可能に設け、該透明部材保持枠９に透視可能な透明部材１０を収納している。そして、透明部材保持枠９を閉じると、遊技盤５が透明部材保持枠９により覆われるとともに、透明部材１０が遊技領域７の前方に配置され、透明部材１０を通して遊技領域７を前方から視認できるように構成されている。さらに、透明部材保持枠９の下方には、一側（図１中、左側）が軸着された上皿ユニット１１を開閉可能に設け、該上皿ユニット１１の下方には、下皿ユニット１２を上皿ユニット１１とは左右方向にずれた位置に配置している。また、下皿ユニット１２の左側に灰皿１４を備え、下皿ユニット１２の右側に発射操作ユニット（発射操作ハンドル）１５を備えている。そして、上皿ユニット１１と下皿ユニット１２との間には、遊技状態に応じて音を発生するスピーカー１６を配置している。
【００１２】
前面枠本体４は、大きな矩形状の開口を上寄りに開設した合成樹脂製枠体であり、額縁状の遊技盤収納フレーム２０を備え、該遊技盤収納フレーム２０内に遊技盤５を着脱可能な状態で収納（配置）している。また、遊技盤収納フレーム２０の下方にはフレームボード部２１を備え、該フレームボード部２１の上端には遊技盤載置部２２を設け、該遊技盤載置部２２に遊技盤５の下端を載置している。また、フレームボード部２１の前面側の側部（図２中、右側部）には、遊技球を遊技領域７へ向けて発射する発射装置２５を備え、該発射装置２５の側方（図２中、左側部）、具体的には発射装置２５と発射球案内流路８の下端との間には、ファール球（発射装置２５から発射されたが遊技領域７に到達せずに逆流してきた遊技球）を回収するためのファール球回収口２６を上方へ向けて開放している。
【００１３】
次に、遊技盤５について説明する。
遊技盤５は、図３に示すように、合板やプラスチックなどからなる矩形状の遊技盤本体３０を備え、該遊技盤本体３０の前面に区画部材３１を遊技盤本体３０の各辺に沿う状態で止着して遊技領域７を区画形成し、遊技領域７には誘導釘列３３、役物の一種である振分装置３４（第１振分装置３４ａ、第２振分装置３４ｂ、第３振分装置３４ｃ）、アウト口３５および入賞口３６を配置している。具体的には、遊技領域７の上部のうち発射球案内流路８の出口寄り（図３中、左上寄り）に第１振分装置３４ａを配置し、遊技領域７の中央部に第２振分装置３４ｂを配置し、遊技領域７の下部のうち第２振分装置３４ｂを挟んで第１振分装置３４ａとは反対側に第３振分装置３４ｃを配置している。さらに、第２振分装置３４ｂの側方（図３中、右側方）にアウト口３５を配置し、遊技領域７の下端に入賞口３６を配置している。そして、遊技領域７へ飛入してきた遊技球を誘導釘列３３ａにより第１振分装置３４ａやアウト口３５へ誘導し、第１振分装置３４ａへ誘導された遊技球を遊技盤５の後方へ排出するか、あるいは第２振分装置３４ｂへ向けて誘導釘列３３ｂ上を流下させるかを振り分け、第２振分装置３４ｂへ誘導された遊技球を遊技盤５の後方へ排出するか、第３振分装置３４ｃへ向けて誘導釘列３３ｃ上を流下させるか、あるいは入賞口３６へ向けて誘導釘列３３ｄ上を流下させるかを振り分け、第３振分装置３４ｃへ誘導された遊技球を遊技盤５の後方へ排出するか、あるいは入賞口３６へ向けて誘導釘列３３ｅ上を流下させるかを振り分ける。すなわち、複数の振分装置３４によって振り分けた結果、遊技盤５の後方へ排出されずに遊技領域７の下端まで到達した遊技球を入賞口３６へ入賞させるように構成されている。
【００１４】
なお、振分装置３４は、図４に示すように、振分ベース４０と、該振分ベース４０内に回動可能な状態で収納された振分回転部４１と、該振分回転部４１を前方から覆う振分カバー４２と、振分回転部４１を回転するための回転駆動機構４３とを備えて構成されている。そして、振分ベース４０のうち振分回転部４１の上部の後方に位置する箇所にアウト通路４５を開設し、振分カバー４２の上部には、誘導釘列３３に誘導された遊技球を横方向（左右方向あるいは前後方向）へ転動して振分ベース４０内、具体的には振分回転部４１の上方へ誘導可能な球転動棚４７を形成している。さらに、振分回転部４１の外周部には、３つの球保持部４８（第１保持部４８ａ、第２保持部４８ｂ、第３保持部４８ｃ）を１２０度ずつ位相が異なる状態で切り欠いて備えている。
【００１５】
そして、図３に示すように、第１振分装置３４ａにおいては、振分カバー４２の下部の右側に振分開口５０（右側振分開口５０ａ）を開設している。さらに、振分回転部４１を回転し、この回転状態で球転動棚４７から転動してきた遊技球をいずれかの球保持部４８に保持し、第１保持部４８ａまたは第３保持部４８ｃに保持された遊技球をアウト球としてアウト通路４５へ振り分け、第２保持部４８ｂに保持された遊技球を、右側振分開口５０ａを介して第１振分装置３４ａの側部（図３中、右側）の下方へ振り分けて流下させるように構成されている。また、第２振分装置３４ｂにおいては、振分カバー４２の下部の左右両側に振分開口５０（右側振分開口５０ａ、左側振分開口５０ｂ）を開設している。そして、振分回転部４１を回転し、この回転状態で球転動棚４７から転動してきた遊技球をいずれかの球保持部４８に保持し、第１保持部４８ａに保持された遊技球をアウト球としてアウト通路４５へ振り分け、第２保持部４８ｂに保持された遊技球を、右側振分開口５０ａを介して第２振分装置３４ｂの一側（図３中、右側）の下方へ振り分け、第３保持部４８ｃに保持された遊技球を、左側振分開口５０ｂを介して第２振分装置３４ｂの他側（図３中、左側）の下方へ振り分けて流下させるように構成されている。さらに、第３振分装置３４ｃにおいては、振分カバー４２の下部の左側に振分開口５０（左側振分開口５０ｂ）を開設している。そして、振分回転部４１を回転し、この回転状態で球転動棚４７から転動してきた遊技球をいずれかの球保持部４８に保持し、第１保持部４８ａまたは第２保持部４８ｂに保持された遊技球をアウト球としてアウト通路４５へ振り分け、第３保持部４８ｃに保持された遊技球を、左側振分開口５０ｂを介して第３振分装置３４ｃの側部（図３中、左側）の下方へ振り分けて流下させるように構成されている。したがって、遊技球は、発射球案内流路８から遊技領域７の上部へ飛入してから第１振分装置３４ａへ到達し、該第１振分装置３４ａにより振り分けられて下方へ流下して第２振分装置３４ｂへ到達し、該第２振分装置３４ｂにより振り分けられて右下方へ流下して第３振分装置３４ｃへ到達し、該第３振分装置３４ｃにより振り分けられて下方、すなわち遊技領域７の下端へ流下すれば、入賞口３６へ入賞する。あるいは、第２振分装置３４ｂにより振り分けられて左下方へ流下して遊技領域７の下端へ到達すれば、入賞口３６へ入賞する。
【００１６】
次に、区画部材３１について説明する。
区画部材３１は、遊技領域７の一側（図３中、左側）を区画し、発射装置２５から発射された遊技球を遊技領域７へ案内する発射球案内ユニット５３と、遊技領域７の他側の上部（図３中、右上側）を区画する上側区画部材５４と、遊技領域７の他側の下部（図３中、右下側）を区画する下側区画部材５５とに３分割して構成されている。
【００１７】
発射球案内ユニット５３は、遊技領域７の遊技球進入側を区画する部材であり、図５に示すように、遊技盤５の前面側に発射球案内流路８を形成する合成樹脂製の発射球案内部材５８と、該発射球案内部材５８のうち発射球案内流路８の外周側縁部に設けられたガイドレール（外レール）５９とを備えて構成されている。発射球案内部材５８は、遊技盤本体３０の前面に止着される略Ｃ字状の取付ベース部６１を備え、該取付ベース部６１から遊技盤５の前方（透明部材１０側）へ向けて発射球案内壁部６２を起立するとともに、遊技盤５の前面の下端側から上端側に亘って円弧状に形成している。また、発射球案内壁部６２から内側（遊技領域７側）へ離間した位置に、発射球案内壁部６２と略平行な状態となる円弧状の領域区画壁部（内レール）６３を形成し、発射球案内壁部６２の円弧内壁面に添設したガイドレール５９と領域区画壁部６３との間に挟まれた円弧状の空間を発射球案内流路８とし、発射球案内流路８を移動する遊技球がガイドレール５９に接触して案内されるように構成されている。そして、発射球案内流路８の後側（すなわち遊技盤本体３０側）には、取付ベース部６１とともに合成樹脂で一体成形した流路底部６４を備え、該流路底部６４と発射球案内壁部６２と領域区画壁部６３とにより発射球案内流路８を前方が開放された状態で区画形成している。言い換えると、発射球案内流路８の外周側に発射球案内壁部６２を備え、内周側に領域区画壁部６３を備えている。さらに、発射球案内流路８の下端を開放して下方の発射装置２５へ連通し、発射装置２５から発射された遊技球を受け入れて遊技領域７へ向けて案内できるように構成されている。また、発射球案内流路８の上端部には戻り球防止部材（戻り球防止弁）６５を備え、該戻り球防止部材６５により遊技球が遊技領域７から発射球案内流路８側へ戻ることを防止している。
【００１８】
ガイドレール５９は、発射球案内壁部６２と略同じ幅の帯状金属板（例えば、ステンレス鋼板）により形成された部材である。そして、発射球案内壁部６２のうち発射球案内流路８に臨ませた面、言い換えると発射球案内流路８の外周側縁部に、発射球案内流路８の長手方向に沿って円弧状に湾曲した状態で添設されている。また、ガイドレール５９の上端（終端）には円弧の外方へ屈曲したコ字状のレール係合部７０を形成し、該レール係合部７０を発射球案内壁部６２の上端に形成されたレール係合溝部７１に係合し、この係合状態で係合カバー７２を前方から止着してレール係合部７０がレール係合溝部７１から外れることを阻止している。さらに、図６（ａ）に示すように、ガイドレール５９の下端（始端）には弾力設定部材７３を止着し、該弾力設定部材７３のうちガイドレール５９の始端の止着箇所から下方に外れた箇所（筒状部）を取付ベース部６１の下端（具体的には取付ベース部６１の下端のうち発射球案内壁部６２の下端の近傍）に突設した回動軸部７５へ回動可能な状態で軸着している。そして、弾力設定部材７３には、発射球案内ユニット５３の側部（図６（ａ）中、左側部）へ向けて操作レバー７３ａを延設し、該操作レバー７３ａを操作して弾力設定部材７３を回動することにより、発射球案内壁部６２に添設された状態でガイドレール５９の始端を終端側へ押し込んでガイドレール５９を延設方向（長手方向）に沿って圧縮する。さらに、この押し込み具合（圧縮力）により円弧状のガイドレール５９、詳しくはガイドレール５９の外周面を発射球案内壁部６２へ押圧してガイドレール５９の変形の規制具合、言い換えるとガイドレール５９の弾力を設定することができるように構成されている。なお、取付ベース部６１にはレバー係止部材７６を止着し、該レバー係止部材７６に操作レバー７３ａを係止して、弾力設定部材７３が圧縮力に反して回動する不具合、すなわち設定した弾力を解除する方向へ回動する不具合を阻止している。
【００１９】
上側区画部材５４は、図３に示すように、遊技盤５の正面から見て右上隅部に配置される部材であり、発射球案内ユニット５３の上端に隣接した状態で止着されている。また、遊技領域７側の縁部（下縁部）を円弧状に形成するとともに、遊技盤５の側方（右側方）へ向けて下り傾斜させて、遊技領域７の上側から他側（右側）の中央部分に亘って円弧状に区画している。さらに、遊技領域７側の縁部の途中には、ゴム製の緩衝部材７８を備え、発射球案内流路８から上側区画部材５４の縁部に沿って飛翔してきた遊技球がこの緩衝部材７８に衝突して下方の遊技領域７へ流下するように構成されている。
【００２０】
下側区画部材５５は、図３に示すように、遊技盤５の正面から見て右下隅部に配置される部材であり、発射球案内ユニット５３の下端に入賞口３６を挟んで隣り合う状態であって、且つ上側区画部材５４に隣接した状態で止着されている。また、遊技領域７側の縁部（上縁部）を円弧状に形成するとともに、上側区画部材５４の下端（右下端）から遊技盤５の下側中央部分へ向けて下り傾斜させて、遊技領域７の他側（右側）の中央部分から下側に亘って円弧状に区画している。
【００２１】
そして、遊技盤５は、図６（ａ）に示すように、ガイドレール５９のうち、発射装置２５から発射球案内流路８へ進入してきた遊技球が衝接し得る始端寄りの箇所を球衝接部８０としている。また、発射球案内壁部６２のうち球衝接部８０に対向する箇所を発射球案内流路８とは反対側へ凹ませて球衝撃吸収空間部８１を形成し、球衝接部８０が発射球案内壁部６２側へ凹もうとする動きを拘束されることなく、球衝撃吸収空間部８１へ押されて僅かに撓むことができるように構成されている。
【００２２】
さらに、球衝接部８０には遊技球よりも幅狭な球位置調整開口溝８３を板厚方向へ貫通した状態で細長な二等辺三角形スリット状に開設し、該球位置調整開口溝８３の開口中心軸Ｃをガイドレール５９の延設方向に沿って延在するとともに、ガイドレール５９のレール幅（前後幅）の中央に配置している（図６（ｂ）参照）。また、球位置調整開口溝８３の開口幅をガイドレール５９の終端側へ向かうにつれて次第に狭くなる状態、言い換えると、球位置調整開口溝８３の前後両側縁部８３ａをガイドレール５９の終端側へ向かうにつれて次第に開口中心軸Ｃ（またはガイドレール５９の中心軸）に近づく状態に設定している。
【００２３】
そして、弾力設定部材７３と球位置調整開口溝８３との間には、ガイドレール５９の延設方向に沿って伸縮可能なレール伸縮ばね部８５をガイドレール５９のレール幅に亘って形成している。レール伸縮ばね部８５は、図７に示すように、ガイドレール５９のうち弾力設定部材７３と球位置調整開口溝８３との間に位置する部分（詳しくは、球位置調整開口溝８３のうち弾力設定部材７３側の縁部の近傍）をレール幅の方向に沿って細い溝状に凹ませて形成されている。そして、当該レール伸縮ばね部８５と開口中心軸Ｃとが略直交する状態に設定されている。
【００２４】
このような構成のレール伸縮ばね部８５を備えたガイドレール５９を発射球案内ユニット５３に装着し、弾力設定部材７３を操作すると、弾力設定部材７３の押し込み力がレール伸縮ばね部８５に伝達し、該レール伸縮ばね部８５によりガイドレール５９のレール幅に亘って分散する。この結果、弾力設定部材７３の押し込み力がガイドレール５９の前後いずれかの側部に偏って発生したとしても、この押し込み力の偏りを解消し、さらには球位置調整開口溝８３の両側方に押し込み力をガイドレール５９のレール幅方向に沿って均等に加えようとすることができる。したがって、球位置調整開口溝８３の両側縁部８３ａの撓み具合を揃え易くなり、球位置調整開口溝８３の前後でガイドレール５９が互い違いにずれてしまう不都合を抑えることができる。
【００２５】
そして、弾力設定部材７３によりガイドレール５９の弾力を設定した状態で、発射装置２５から遊技球を発射すると、この遊技球は、球衝接部８０へ衝接し、この衝接した勢いで球面を球位置調整開口溝８３へ押圧する。すると、球面が球位置調整開口溝８３へ十分に嵌合して前後両側縁部８３ａに支持される。この結果、遊技球の中心が開口中心軸Ｃ上、すなわちガイドレール５９の前後方向の中心軸上に沿うように調整される。そして、この嵌合状態で球位置調整開口溝８３、具体的には前後両側縁部８３ａに案内されながら飛翔すると、遊技球の飛翔方向が開口中心軸Ｃ、すなわちガイドレール５９の中心軸に平行な状態となる。したがって、遊技球がガイドレール５９に衝接した直後に、衝接した勢いを利用して遊技球の飛翔方向が一定の方向に設定されて安定するように調整することができる。これにより、ガイドレール５９への衝接により遊技球の飛翔方向が乱れる不具合、ひいては、飛翔方向が乱れた状態で遊技領域７へ飛入してしまうムラ飛びを十分に抑えることができる。また、発射球案内壁部６２のうち球衝接部８０に対向する箇所に球衝撃吸収空間部８１を形成して球衝接部８０を撓み易くしているので、球衝接部８０に衝接して発生した衝撃を吸収して遊技球を弾み難くすることができ、遊技球を安定して飛翔させることができる。
【００２６】
さらに、レール伸縮ばね部８５を備えることで球位置調整開口溝８３の前後でガイドレール５９が互い違いにずれてしまう不都合を抑えているので、球位置調整開口溝８３の側縁部８３ａに接触して遊技球の飛翔方向がガイドレール５９の延設方向（ガイドレール５９の中心軸）から外れてしまう不具合を抑制することができる。また、ガイドレール５９の一部を溝状に凹ませてレール伸縮ばね部８５を形成しているので、球位置調整開口溝８３の両側縁部８３ａの撓み具合を揃え易いガイドレール５９を簡単な構成で実現することができる。
【００２７】
ところで、上記実施形態では、ガイドレール５９の板厚方向に貫通したスリット状の球位置調整開口溝８３を備えて遊技球の位置（飛翔方向）を調整できるように構成したが、本発明はこれに限定されない。例えば、ガイドレール５９の内周面（遊技球接触面）のうち開口中心軸Ｃの延長線上に一条の細い有底二等辺三角形のガイド溝部（図示せず）をガイドレール５９の終端へ向けて形成し、球位置調整開口溝８３により調整された遊技球がガイド溝部に嵌った状態で飛翔するように構成してもよい。このようにすれば、遊技球の飛翔方向を維持し易くなり、遊技球の飛翔安定性を高めることができ、ひいてはムラ飛びの発生を一層抑制することができる。
【００２８】
また、上記実施形態では、ガイドレール５９の一部を凹ませてレール伸縮ばね部８５を形成したが、本発明はこれに限らず、弾力設定部材７３の押し込み力をガイドレール５９のレール幅に亘って分散可能なレール伸縮ばね部８５であればどのような構成でもよい。さらに、球位置調整開口溝８３は、その開口中心軸Ｃをガイドレール５９の中心軸上から外れた位置に設定してもよい。
【００２９】
そして、上記実施形態では、代表的な遊技機であるパチンコ遊技機を例にして説明したが、本発明はこれに限らず、遊技球を遊技領域へ案内する円弧状の発射球案内流路と、該発射球案内流路の外周側縁部に設けられ、遊技球が接触可能なガイドレールとを備えた遊技機であればどのような遊技機でもよい。例えば、内部に封入した遊技球を循環させる封入球式パチンコ機、アレンジボール式遊技機、雀球式遊技機等の遊技機であってもよい。
【００３０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３１】
【図１】透明部材保持枠と上皿ユニットとを開放した状態のパチンコ遊技機の斜視図である。
【図２】透明部材保持枠と上皿ユニットとを開放した状態のパチンコ遊技機の正面図である。
【図３】遊技盤の斜視図である。
【図４】振分装置の分解斜視図である。
【図５】発射球案内ユニットの分解斜視図である。
【図６】（ａ）はガイドレールの始端部周辺の分解斜視図、（ｂ）は球位置調整開口溝の説明図である。
【図７】レール伸縮ばね部の拡大図である。
【符号の説明】
【００３２】
１  パチンコ遊技機
３  前面枠
５  遊技盤
７  遊技領域
８  発射球案内流路
９  透明部材保持枠
１１  上皿ユニット
１２  下皿ユニット
２５  発射装置
３１  区画部材
３３  誘導釘列
３４  振分装置
３５  アウト口
３６  入賞口
４１  振分回転部
４５  アウト通路
４８  球保持部
５０  振分開口
５３  発射球案内ユニット
５４  上側区画部材
５５  下側区画部材
５８  発射球案内部材
５９  ガイドレール
６１  取付ベース部
６２  発射球案内壁部
６３  領域区画壁部
７３  弾力設定部材
８０  球衝接部
８１  球衝撃吸収空間部
８３  球位置調整開口溝
８５  レール伸縮ばね部
【図１】
2008167832.tif 000003
【図２】
2008167832.tif 000004
【図３】
2008167832.tif 000005
【図４】
2008167832.tif 000006
【図５】
2008167832.tif 000007
【図６】
2008167832.tif 000008
【図７】
2008167832.tif 000009